(57)【要約】【課題】  貨幣やチャージ済みカード等を携帯することなく、各ユーザ個人が一定の管理のもとで画像処理装置の機能を使用できる利便性の高い画像処理装置提供すること。【解決手段】  住民番号を入力する入力手段と、前記入力手段により住民番号が入力されて初めて自装置の機能の使用者による使用を許可する制御手段とを備えたことを特徴とする。【選択図】    図１
2007235687.tif 000002
【特許請求の範囲】
【請求項１】
住民番号を入力する入力手段と、
前記入力手段により住民番号が入力されて初めて自装置の機能の使用者による使用を許可する制御手段とを備えたことを特徴とする画像処理装置。
【請求項２】
前記入力手段における住民番号の入力は、自装置の操作部からの直接入力またはネットワークを介して接続される他装置からの間接入力により行われることを特徴とする請求項１に記載の画像処理装置。
【請求項３】
前記入力された住民番号を記憶手段に記憶するに際して、当該住民番号を暗号化して記憶することを特徴とする請求項１、２のいずれかに記載の画像処理装置。
【請求項４】
前記制御手段は、前記入力手段により入力された住民番号及びその住民番号と併せて入力された所定の個人情報に基づく本人認証を行い、自装置の機能を使用してよい使用者として認証された場合のみ、自装置の機能の使用者による使用を許可するものであることを特徴とする請求項１ないし３のいずれかに記載の画像処理装置。
【請求項５】
前記制御手段における、前記入力手段により入力された住民番号及びその住民番号と併せて入力された所定の個人情報に基づく本人認証は、当該住民番号及び個人情報をネットワークを介して接続された住民番号管理装置へ転送して認証依頼し、認証結果を当該住民番号管理ＰＣから受け取ることにより行うことを特徴とする請求項４に記載の画像処理装置。
【請求項６】
前記制御手段は、自装置の機能を使用してよい使用者として認証した使用者による自装置の機能の使用状況についての情報をネットワークを介して接続されたユーザ使用情報管理装置へ転送することを特徴とする請求項４または５のいずれかに記載の画像処理装置。
【発明の詳細な説明】
【技術分野】
【０００１】
本発明は、複写機、プリンタ装置、スキャナ装置、ファクシミリ装置、ネットワークファクシミリ装置、ネットワーク複写機等に適用可能な画像処理装置に関する。
【背景技術】
【０００２】
従来、図書館・コンビニエンスストアー等に共通使用目的として設置された複写機を使用する際に、入れた硬貨の分だけ前記複写機の機能を使用できる使用形態以外に、ＩＣカードやフェリカ等のカードのチャージ量の範囲内で前記複写機の機能を使用できる使用形態がある。
【０００３】
しかし、上記従来の使用形態では、ＩＣカード等のチャージ量の範囲内で前記複写機の機能を使用できるにしても、手持ちのＩＣカードのチージ量の管理が面倒であり、また、カードのチャージ量が尽きればそれ以上前記複写機を使用できない。
【０００４】
一方、もし、貨幣やチャージ済みカード等を携帯することなく複写機等の画像処理装置を使用できれば大変利便性が高いが従来そのような使用形態は実現されておらず、画像処理装置の機能を各ユーザ個人が一定の管理のもとで使用する場合における十分な利便性が確保されていなかった。
【０００５】
本願発明に関連する公知技術として、特許文献１を挙げることができる。
【特許文献１】特開2005-056393号公報
【発明の開示】
【発明が解決しようとする課題】
【０００６】
しかし、上記特許文献１に記載の技術をもってしても、貨幣やチャージ済みカード等を携帯することなく、各ユーザ個人が一定の管理のもとで画像処理装置の機能を利用することはできなかった。
【０００７】
本発明は係る事情に鑑みてなされたものであり、貨幣やチャージ済みカード等を携帯することなく、各ユーザ個人が一定の管理のもとで画像処理装置の機能を使用できる利便性の高い画像処理装置提供することを目的とする。
【課題を解決するための手段】
【０００８】
請求項１に記載の画像処理装置は、住民番号を入力する入力手段と、前記入力手段により住民番号が入力されて初めて自装置の機能の使用者による使用を許可する制御手段とを備えたことを特徴とする。
【０００９】
請求項２に記載の画像処理装置は、請求項１に記載の画像処理装置において、前記入力手段における住民番号の入力は、自装置の操作部からの直接入力またはネットワークを介して接続される他装置からの間接入力により行われることを特徴とする。
【００１０】
請求項３に記載の画像処理装置は、請求項１、２のいずれかに記載の画像処理装置において、前記入力された住民番号を記憶手段に記憶するに際して、当該住民番号を暗号化して記憶することを特徴とする。
【００１１】
請求項４に記載の画像処理装置は、請求項１ないし３のいずれかに記載の画像処理装置において、前記制御手段は、前記入力手段により入力された住民番号及びその住民番号と併せて入力された所定の個人情報に基づく本人認証を行い、自装置の機能を使用してよい使用者として認証された場合のみ、自装置の機能の使用者による使用を許可するものであることを特徴とする。
【００１２】
請求項５に記載の画像処理装置は、請求項４に記載の画像処理装置において、前記制御手段における、前記入力手段により入力された住民番号及びその住民番号と併せて入力された所定の個人情報に基づく本人認証は、当該住民番号及び個人情報をネットワークを介して接続された住民番号管理装置へ転送して認証依頼し、認証結果を当該住民番号管理装置から受け取ることにより行うことを特徴とする。
【００１３】
請求項６に記載の画像処理装置は、請求項４または５のいずれかに記載の画像処理装置において、前記制御手段は、自装置の機能を使用してよい使用者として認証した使用者による自装置の機能の使用状況についての情報をネットワークを介して接続されたユーザ使用情報管理装置へ転送することを特徴とする。
【発明の効果】
【００１４】
本発明によれば、図書館・コンビニエンスストアー等に共通使用目的として設置された画像処理装置を使用する際に、入力された住民番号により各ユーザ個人の画像処理装置の機能使用を管理することができるため、貨幣やチャージ済みカード等を携帯することなく、各ユーザ個人が一定の管理のもとで画像処理装置の機能を使用できる利便性の高い画像処理装置提供することが可能となる効果が得られる。
【発明を実施するための最良の形態】
【００１５】
以下、添付図面を参照しながら、本発明を実施するための最良の形態について説明する。
【００１６】
図１に、本発明を実施するための最良の形態に係る画像処理装置２００のブロック構成について示す。
【００１７】
同図において、ＣＰＵ２０１は、ＲＡＭ２０３を作業領域として使用しつつ、ＲＯＭ２０２３に書き込まれた制御プログラムに基づいて装置各部を制御したり、各種データ処理をしたり、プロトコル制御を行う中央演算処理装置である。
【００１８】
ＲＯＭ２０２は、ＣＰＵ２０１が装置各部を制御するための制御プログラムや、各文字コードに対応するフォントデータなどの制御に必要な各種データが記憶されるリードオンリメモリである。
【００１９】
ＲＡＭ２０３は、前述したようにＣＰＵ２０１の作業領域として使用されるランダムアクセスメモリである。
【００２０】
ＨＤＤ２０４は比較的大容量のデータを記憶するためのＨＤＤ装置である。
【００２１】
読取部２０５は、原稿を読み取って画像データを得るためのものである。
【００２２】
書込部２０６は、画像データを記録紙に印刷出力するためのものである。
【００２３】
ネットワークプロトコル制御部２０７は、ネットワーク５００に代表されるネットワークを介した通信を制御するものであり、ネットワーク５００に接続されていて、ネットワーク５００に接続されているその他のネットワーク端末としての、住民番号管理ＰＣや、ユーザ使用情報管理ＰＣとのネットワーク５００を介した情報のやりとりを行える。
【００２４】
操作表示部２０８は、ユーザからの操作入力を受け入れるための各種キーが配設される一方、液晶表示装置等の表示器を備え、ユーザに知らせるべき装置の動作状態や、各種メッセージを表示するものである。
【００２５】
システムバス２０９は、上記各部がデータをやり取りするためのデータバス・アドレスバス・制御バス、割り込み信号ラインなどにより構成される信号ラインである。
【００２６】
以上の構成で、画像処理装置２００は、住民番号を管理しているＰＣ３００にネットワーク５００を介して接続して情報をやりとりするためのプロトコルを搭載（ＲＯＭ２０２にプログラムとして記憶）しており、使用者（ユーザ）が住民番号を入力した場合、その住民番号を装置内部のメモリ（ＲＡＭ２０３）・ＨＤＤ２０４等の記憶装置に保存する。
【００２７】
その保存方法は住民番号の機密性を保つために住民番号そのままを保存せず、装置内部に搭載されたＣＰＵ２０１部分にて暗号化・または特有のＩＤ化を施した後に行う。
【００２８】
また、画像処理装置２００は、ユーザにより入力され保存した住民番号（暗号化・特有のＩＤ化を施した後でも可）と、その住民番号と共にユーザにより入力される氏名・パスワード等の個人情報との一致をＣＰＵ２０１にて判別することで、ユーザ認証を行う。
【００２９】
なお、住民番号とそれに対応する氏名・パスワード等の個人情報の入力は、自装置の操作表示部２０８から直接行うようにしてもよいし、ネットワーク５００を介して接続されたＰＣ６００などから間接的に入力するようにしてもよい。
【００３０】
画像処理装置２００は、住民番号に基づくユーザ認証のために、ＨＤＤ２０４に住民番号とその住民番号に対応する個人情報（氏名・パスワード）とを対応付けたテーブルを記憶していて、そのテーブルと、ユーザにより入力された住民番号とそれに対応する個人情報とそのテーブルを照合して、一致する組み合わせが登録されている場合に、そのユーザを画像処理装置２００の機能を許可できるユーザとして認証する。
【００３１】
なお、画像処理装置２００は、ユーザにより入力された住民番号とそれに対応する個人情報とを住民番号管理ＰＣ３００に送信して、その住民番号管理ＰＣ３００が一括して管理している、住民番号とその住民番号に対応する個人情報（氏名・パスワード）とを対応付けたテーブルと照合して照合結果（認証結果）を画像処理装置２００に通知するユーザ認証形態をとるようにしてもよい。その場合、多数の画像処理装置２００におけるユーザ認証用テーブルの管理が簡略化できる。また、画像処理装置２００が認証用のテーブルを定期的に住民番号管理ＰＣからダウンロードして最新の内容に更新するようにしてもよい。
【００３２】
図２に、画像処理装置における住民番号に基づく制御処理手順について示す。
【００３３】
同図において、使用者（ユーザ）による住民番号の入力を待ち（処理Ｓ１０１、判断Ｓ１０２のＮｏのループ）、入力があると（判断Ｓ１０２のＹｅｓ）、ネットワークプロトコル制御部２０７により、住民番号を管理しているＰＣ３００にアクセスし、入力され、装置内のＲＡＭ２０３またはＨＤＤ２０４に記憶された住民番号を記憶させる（処理Ｓ１０３）。それにより、住民番号管理ＰＣ３００は、画像処理装置２００で入力される住民番号を管理できる。
【００３４】
そして、入力され記憶している住民番号を暗号化または特定のＩＤに変換して再記憶後、住民番号と併せて入力される、氏名・パスワード等の個人情報による本人認証を行う（処理Ｓ１０４）。処理Ｓ１０４では実際は認証されない場合もあり、その認証されない場合、住民番号を入力したユーザの画像処理装置２００の機能利用は許可されないが、図２の手順においては、認証されない場合の手順は省略している。
【００３５】
処理Ｓ１０４で本人認証された後は、認証した使用者（ユーザ）による画像処理装置２００の各種機能、つまり、書込部２０６を利用したプリンタ機能、読取部２０５を利用したスキャナ機能、書込部２０６及び読取部２０５を利用した複写機能等の各種機能の使用の状況を監視する（処理Ｓ１０５）。なお、処理Ｓ１０４の本人認証を省いて、住民番号が入力されたことを条件として、自装置の機能の使用を許可するようにする、簡易な認証形態も採用し得る。
【００３６】
そして、使用者（ユーザ）が画像処理装置２００を使用した作業を終了した後、その作業内容の情報、具体的には、モノクロ／カラー複写・印刷の別、複写・印刷枚数等の情報を、メモリ（ＲＡＭ２０３）またはＨＤＤに保存すると共に、画像処理装置２００における各住民番号に対応するユーザによる使用内容やその使用内容に応じて当該ユーザに請求すべき利用金額を管理するＰＣ、つまり、ユーザ使用情報管理ＰＣ４００に、ネットワークプロトコル制御部２０７によるネットワーク５００を介したやりとりにより、転送する（処理Ｓ１０６）。
【００３７】
そして今回使用された住民番号の情報や対応して入力された氏名やパスワード等の個人情報をメモリ（ＲＡＭ２０３またはＨＤＤ２０４）から削除して（処理Ｓ１０７）、処理を終了する。
【００３８】
ユーザ使用情報管理ＰＣ４００に転送された、各住所番号に対応する使用者（ユーザ）についての、画像処理装置２００の機能の使用内容及びその使用内容に応じて請求されるべき使用金額の情報（使用金額についてはユーザ使用情報管理ＰＣ４００側で決定するようにしてもよい）は、月々の使用金額のユーザ口座からの自動引き落としや、各種コンビニエンスストアー等で支払いできる請求書の発行のための情報として使用できる。
【００３９】
なお、以上本発明を実施するための最良の形態について説明したが、本発明は上記のものに限定されるものではなく、その要旨を逸脱しない範囲で種々変更可能であることはいうまでもない。
【図面の簡単な説明】
【００４０】
【図１】本発明を実施するための最良の形態に係る画像処理装置のブロック構成について示す図である。
【図２】本発明を実施するための最良の形態に係る画像処理装置における住民番号に基づく制御処理手順について示すフローチャートである。
【符号の説明】
【００４１】
２００  画像処理装置
２０１  ＣＰＵ
２０２  ＲＯＭ
２０３  ＲＡＭ
２０４  ＨＤＤ
２０５  読取り部
２０６  書込み部
２０７  ネットワークプロトコル制御部
２０８  操作表示部
２０９  システムバス
３００  住民番号管理ＰＣ
４００  ユーザ使用情報管理ＰＣ
５００  ネットワーク
６００  ＰＣ（パーソナルコンピュータ）
【図１】
2007235687.tif 000003
【図２】
2007235687.tif 000004